Podtech/llm-jp-corpus-v4-ja_patent huggingface dataset:
(57)【要約】【課題】インターネットに掲載された画像は、通信方式や画像データが暗号化されていたとしても、表示するためには最終的にビデオメモリに描画しなければならず、画面キャプチャープログラムによってビデオメモリの内容を外部記憶装置に書き出し、コピー・改変する事が可能となっていた。【解決手段】画面キャプチャープログラム１０がインターネットに掲載された画像データ２を取得できないように、ビデオメモリ７を排他占有ロックしてから画像データをビデオメモリに書き込むことで表示する。【選択図】図１
2006120105.tif 000002
【特許請求の範囲】
【請求項１】
インターネットに掲載された画像を、ビデオメモリを排他占有ロックしてから画面に描画する事により、キャプチャーを防止して表示するシステム。
【請求項２】
インターネットに掲載された画像を、システムを監視してキャプチャープログラムが実行中でない事を確認し、ビデオメモリを排他占有ロックしてから画面に描画する事により、キャプチャーを防止して表示するシステム。
【発明の詳細な説明】
【技術分野】
【０００１】  この発明は、インターネットを閲覧するシステムに関する。
【背景技術】
【０００２】  従来は、図２に示すように、インターネット上のサーバー１から暗号化されている画像データ２をインターネット閲覧端末３の記憶装置４にダウンロードし、復号アルゴリズム５で画像データに復号化、さらに画像のデータ形式に応じたアルゴリズム６でデコードした結果を、ビデオメモリ７に描画する事で画面８に表示していた。
【発明の開示】
【発明が解決しようとする課題】
【０００３】  しかしながら、以上の技術によれば、インターネットに掲載された画像は、通信方式や画像データが暗号化されていたとしても、表示するためには最終的にビデオメモリに描画しなければならないため、インターネットに掲載された画像を閲覧中に、画面キャプチャープログラムによってビデオメモリの内容を外部記憶装置に書き出し、悪意のある閲覧者やテロリストが、掲示板サイトやホームページに誹謗中傷と共にコピー・改変・転載等が可能となっていた。インターネットに掲載された画像が、著作権や肖像権で保護されており、すぐにサーバーから削除したとしても、一度インターネットに改悪、転載された場合、短期間であってもコピー・改変そして転載がねずみ算的に飛び火し、その損害は計り知れない物となる。
そこで、この発明は、インターネットに掲載された画像をキャプチャーを防止して表示する機能を提供することを課題とする。
【課題を解決するための手段】
【０００４】  以上の課題を解決するために、第一発明は、ビデオメモリを排他占有ロック後、画像データのデコード結果をビデオメモリ書き込むことで表示する、インターネットに掲載された画像の閲覧システムである。
また、第二発明は、システムを監視して実行中のプログラムと既知のキャプチャープログラムのデータベースとを照らし合わせ、キャプチャープログラムが実行中でない事を確認してから、ビデオメモリを排他占有ロック後、画像データのデコード結果をビデオメモリ書き込むことで表示する、インターネットに掲載された画像の閲覧システムである。
【発明の効果】
【０００５】  第一発明または第二発明によれば、ビデオメモリを排他占有ロックしてから描画するため、画面キャプチャープログラムによって画面データを外部記憶装置に書き出すことができなくなる。
【発明を実施するための最良の形態】
【０００６】  この発明の一実施形態を、図１に示す。
インターネット上のサーバー１から暗号化されている画像データ２をインターネット閲覧端末３の記憶装置４にダウンロードし、復号アルゴリズム５で画像データに復号化、さらに画像のデータ形式に応じたアルゴリズム６でデコードする。画面キャプチャープログラム１０がビデオメモリの内容にアクセスする事ができないように、画面キャプチャー防止アルゴリズム９が画像データのサイズとピクセル当たりのビット数及び画面の解像度から表示するビデオメモリ７のアドレス空間を算出し、その範囲をシステムコールにより排他占有ロックする。排他占有ロックに成功した場合は、ビデオメモリ７に画像データを描画する事で画面８に表示する。ビデオメモリの排他占有ロックに失敗した場合は、画像データの代わりにエラーメッセージをビデオメモリに描画表示する。排他占有ロックしたビデオメモリは、他のプログラムからはアクセスできないので、画像の表示範囲が変更された場合及び表示の終了時に、必ず解放する。【０００７】「実施形態の効果」
この実施形態によれば、画面キャプチャープログラムはビデオメモリにアクセスする事ができず、内容を読み出すことは不可能なので、閲覧者がサイトを閲覧する上では画像は表示され影響は受けないが、悪意のある閲覧者やテロリストがコピー・改変、転載を目的に画面キャプチャープログラムを用いて外部記憶装置に保存することを防止できる。
【図面の簡単な説明】
【０００８】
【図１】この発明の一実施形態を示すデータの処理の図である
【図２】従来技術を示すデータの処理の図である
【符号の説明】
【０００９】      １  インターネット上のサーバー
２  暗号化された画像データ
３  インターネット閲覧端末
４  インターネット閲覧端末の記憶装置
５  暗号化された画像データを復号化するアルゴリズム
６  画像データをデコードするアルゴリズム
７  インターネット閲覧端末のビデオメモリ
８  インターネット閲覧端末の表示装置
９  画面キャプチャー防止アルゴリズム
１０  画面キャプチャープログラム
【図１】
2006120105.tif 000003
【図２】
2006120105.tif 000004
(57)【要約】【課題】  従来の支柱は角パイプ製であるため、厚く、重く、材料費が高くついた。支柱をアングルに変え、厚みを薄く、軽く、材料費の削減をはかろうとした。【解決手段】  支柱をアングルに変え、両端の先に切り込みを入れて、本体（１）に取り付けた。【選択図】  図１
2006301554.tif 000002
【特許請求の範囲】
【請求項１】
支柱をアングルにし両端先を切り込み、開き止めにした看板
【発明の詳細な説明】
【発明の詳細な説明】
この発明は、支柱であるアングルの両端先を切り込み、開き止めにしたことを特徴とするものである。
従来、支柱は角パイプ製で両端先を角度切りしたものや、様々な形の部品を付けて開き止めにしていたが、材料費が高く、保管する場所や輸送する際には、重く、かさばるという欠点があった。本発明はその欠点を除くために、なされたもので、それを図面について説明すれば、支柱にアングル（２）を使いそのアングルの両端先を切り込み、開き止めにして、リベット、座金又はボルト、ナットで本体（１）に取り付けたものである。本発明は、このような構造であるから、従来のパイプ製よりも厚みが薄く、軽く、様々な形の金具を取り付ける必要もなく、工程を省くことができ、製作も容易である。又持ち運びや保管も容易になり、材料費も安価になるので大幅なコスト削減になる。
【図面の簡単な説明】
【図１】  本発明の斜視図である。
【図２】  本発明の折りたたみ時の斜視図である。
【図３】  本発明の切り込み部詳細斜視図である。
【符号の説明】
１は本体、  ２は支柱、  ３は表示板、  ４はリベット、  ５は座金
【図１】
2006301554.tif 000003
【図２】
2006301554.tif 000004
【図３】
2006301554.tif 000005
(57)【要約】      （修正有）【課題】１本の眼鏡枠（フレーム）本体で、それぞれ目的の対応に合うレンズだけを脱着交換出来る経済的な眼鏡枠（フレーム）。【解決手段】眼鏡枠（フレーム）本体（１）とレンズ取り付け枠（４）とが脱着出来るように分離されており、使用目的に応じてレンズのみの加工、取り替え脱着により、新たな余計の眼鏡を作製購入する必要が無くなる効率の良い経済的効果の高い眼鏡枠（フレーム）である。【選択図】図１
2006301552.tif 000002
【特許請求の範囲】
【請求項１】
眼鏡フレーム（サングラス含む）本体とレンズ部が磁石と爪により用途に応じて取り替え脱着が出来る汎用眼鏡フレーム、（サングラス）
【発明の詳細な説明】
【発明の詳細な説明】
【産業上の利用分野】
【０００１】本発明は、各種パソコン使用業務、又精密な作業、等の機会に通常使用する眼鏡から電磁波防止眼鏡、又は、防眩眼鏡を作業に応じてフレームを取り替えること無くフロントレンズ部のみを取り替える事が出来る構造の眼鏡フレーム、サングラスである。
【背景技術】
【０００２】従来、矯正眼鏡使用者等がパソコン業務、など用途に必要な眼鏡（サングラス）を使用する際にはその都度、新たに用途に応じた眼鏡を製作購入しなければならなかった、
【本発明が解決しようとする課題】
【０００３】従来次のような欠点があった。
（イ）従来眼鏡使用者等は通常使い慣れている眼鏡枠を外して目的用途に応じたレンズが込んである眼鏡枠を新たに製作購入しなければならなかった。従って複数の眼鏡（サングラス）を保有しなければならなかった。
（ロ）せっかく使用中の眼鏡枠が保有されていながら、必要用途に対応しなければならないレンズの必要性から、新たに眼鏡枠も製作購入しなければならないために、非常に非経済的で不利な状態であった。
本発明は、これらの欠点を除くためになされたものである。
【問題を解決するための手段】
【０００４】本発明は眼鏡枠（フレーム）１本のみで、フロントのレンズ部のみを必要に応じて作製し、その用途に応じてレンズ部のみを脱着、ハメ替えするものである。眼鏡枠（フレーム）本体の表面又は裏面に磁石と爪受け凹みをつけた構造に必要に応じて作製したレンズをはめ込んだ取付け枠のみをその都度ハメ替える事が出来る。従って矯正使用目的、又はサングラス購入され、それぞれ個人の骨格に合わせ調整された眼鏡枠（フレーム）をそのまま活用が出来１本の使い慣れた眼鏡枠（フレーム）のみで用途に応じたレンズのみ製作購入し、繰り返し脱着を可能にした汎用性高い合理的で経済的な構造を、目的として考案したものである。
【実施例】
【０００５】図１はフレーム本体（１）の裏面にこの考案を施した構造を示してある，このフレームの面には複数の磁石（２）を埋め込み、レンズ取付け枠（図３）の（４）が磁力により接合される事を目的とする。更に磁石に隣接された数カ所のレンズ取付け枠の掴み凸爪（５）を受ける爪受け凹溝（３）を施してある。この目的は、レンズ取付け枠（４）が磁力による接合のみでなく、更に、安定固定化させる為、掴み爪を受けとめる凹溝（３）を施し、この凹溝に差し込み合致させる掴み凸爪（５）がレンズ取付け枠（４）に取り付けて脱着をより堅固にするものである。この取付けにて両眼又は方眼を脱着させる・【０００６】図３はレンズ取付け枠を方眼のみ表わし図である。加工されたレンズを組み込まれた枠（４）をフレーム本体（１）の裏面に合体結合目的の凹溝（３）に差し込む掴み凸爪（５）を施したレンズ取付け枠を示すものである．磁石による磁力接合も兼ねる事からこの使用されるレンズ取付け枠（４）の素材は磁気受帯の素材となるが、非磁気受帯の素材の場合には、レンズ取付け枠側にもフレーム本体（１）に取り付けてある磁石（２）に噛み合う磁石を取り付け脱着を可能にする。
【作用】
【０００７】使用目的に応じたレンズ（６）の加工を行ない、このレンズをレンズ取付け枠（４）に組み込む。このレンズが組み込まれたレンズ枠（４）の掴み凸爪（５）をフレーム本体（１）の凹溝（３）に差し込みフレーム本体（１）に埋め込まれてある磁石の磁力の作用と同時に安定良くレンズ取付け枠（４）とフレーム本体（１）と脱着可能な接合を行なうものである。
【考案の効果】
【０００８】この考案のレンズ脱着式眼鏡鏡は、１本の眼鏡フレームで必要に対応するレンズをはめ込んだ脱着レンズ取付け枠のみの交換で、あらゆる環境状態の中で活用出来る汎用性の高い発明である。例えば、近視用レンズを常用しているこの眼鏡でサングラスの必要性を感じた時には、従来、新たにサングラスとした眼鏡を作製購入しなければならないが、カラーレンズのみの作製で良い。又は、老眼の必要性が生じた場合にも新たにもう１本の老眼鏡を購入しなければならなかったが、老眼レンズのみの作製で良い。あるいは、特殊な作業の時、例えばパソコン等の作業で、電磁波防止の眼鏡の必要性、精密性を要する作業、医療治療等の場合には時折拡大鏡、ルーペ等などの必要性が生じる事が多く発生するが、そのいずれの場合でも新たに眼鏡枠を購入する必要性が無く使い慣れたこの脱着式眼鏡フレーム１本でその都度必要に応じたレンズのみの加工でレンズ脱着枠にレンズをハメ替えその用途に対応が出来る非常に便利で効率的な経済性に富む発明考案である。
【図面の簡単な説明】
【図１】  本発明の眼鏡フレーム本体の裏面図である。
【図２】  本発明の眼鏡フレーム本体の上面図である。
【図３】  本発明のレンズ脱着取付け枠の裏面図である。
【図４】  本発明のレンズ脱着取付け枠の上面図である。
【図５】  本発明のレンズ脱着取付け枠の側面図である。
【図６】  本発明のフレーム本体とレンズ脱着枠の仕組み図である。
【符号の説明】
（１  ）眼鏡フレーム本体
（２  ）磁石
（３  ）掴み爪受け用凹溝
（４  ）レンズ取付け枠
（５  ）掴み凸爪
（６  ）レンズ
（７  ）鼻あて蝶足
（８  ）鼻あてパッド
【図１】
2006301552.tif 000003
【図２】
2006301552.tif 000004
【図３】
2006301552.tif 000005
【図４】
2006301552.tif 000006
【図５】
2006301552.tif 000007
【図６】
2006301552.tif 000008
(57)【要約】      （修正有）【課題】市町村都府県を数字で表す。【解決手段】世界地図の市町村都府県を数字で表し、縦に位置する市町村都府県と横にする市町村都府県で、その位置を表す事が出来ると共に世界全土から日本全土を、縦の数値と横の数値で総べてを表す事が出来る。世界の市町村都府県の辞書もかねると共に、市道、私道、有料道路を一発で確認できて上空も縦と横の線で３Ｄも自由に表す事が出来る。【選択図】なし【特許請求の範囲】
【請求項１】
この地図は世界の地図を、縦と横の数値で都道府県と市町村を表す物を特許請求する物である。
【発明の詳細な説明】
【技術分野】
【０００１】この世界地図は、数字を縦と横で表す地図である、縦の数値と横の数値を表すことによりその位置が一発で選局できる物である。
「背景技術」【０００２】世界地図の市町村都府県を数字で表し、縦に位置する市町村都府県と横にする市町村都府県で、その位置を表す事が出来ると共に世界全土から日本全土を、縦の数値と横の数値で総べてを表す事が出来ると共に、世界の市町村都府県の辞書もかねると共に、市道、私道、有料道路を一発で確認できる。
「発明の開示」
「発明が解決しようとする課題」
どの様な方でも一発でどの世界地図の市町村都府県の位置に、どの様な物が存在するかが理解できる。
(57)【要約】【課題】カメラ付携帯電話機を手に持って撮影を行おうとすると、手ブレが非常に起りやすく、特に画素数のカメラ付携帯電話機の場合、手ブレが撮影した画像に影響し易い。一般的には三脚などで固定することが望ましいが、三脚などは寸法形状が大きいため、これを携帯するには不向きである。本発明の目的は、カメラの固定を簡易的に可能とし、小型に折り畳めて携帯し易い簡易なカメラ付携帯電話機の手ブレ防止具を提供することにある。【解決手段】伸縮可能な脚部の一端に、ヒンジ部を介して携帯電話の充電ジャックに差し込むことができるように形成された接続端子部を備える。以上を特徴とするカメラ付携帯電話機の手ブレ防止具である。【選択図】図２
2006301547.tif 000002
【特許請求の範囲】
【請求項１】
伸縮可能な脚部の一端に、ヒンジ部を介して携帯電話の充電ジャックに差し込むことができるように形成された接続端子部を備えたことを特徴とするカメラ付携帯電話機の手ブレ防止具。
【請求項２】
脚部には、携帯電話機に取り付け可能な紐状体が取り付けられていることを特徴とする請求項１に記載のカメラ付携帯電話機の手ブレ防止具。
【請求項３】
接続端子部は、携帯電話機の機種に応じて付け替え可能であることを特徴とする請求項１に記載のカメラ付携帯電話機の手ブレ防止具。
【発明の詳細な説明】
【発明の詳細な説明】
【技術分野】
【０００１】本発明は、カメラ付携帯電話機を使用してカメラを撮影するときの手ブレを防止するためのカメラ付携帯電話機の手ブレ防止具に関する。
【背景技術】
【０００２】従来、カメラ付き携帯電話機で写真を撮影する場合には、手に携帯電話機を持ち被写体に向け撮影を行っていた。カメラ付携帯電話機は近年性能が良くなり、画素数も高まってきている。
【発明が解決しようとする課題】
【０００３】カメラ付携帯電話機を手に持って撮影を行おうとすると、手ブレが非常に起りやすく、特に画素数のカメラ付携帯電話機の場合、手ブレが撮影した画像に影響し易い。一般的には三脚などで固定することが望ましいが、三脚などは寸法形状が大きいため、これを携帯するには不向きである。
本発明の目的は、カメラの固定を簡易的に可能とし、小型に折り畳めて携帯し易い簡易なカメラ付携帯電話機の手ブレ防止具を提供することにある。
【課題を解決するための手段】
【０００４】伸縮可能な脚部の一端に、ヒンジ部を介して携帯電話の充電ジャックに差し込むことができるように形成された接続端子部を備える。以上を特徴とするカメラ付携帯電話機の手ブレ防止具である。
【発明の効果】
【０００５】携帯電話に装着した脚部を上半身に押し当てることによって、携帯電話を簡易的に固定することができるので、手ブレを防止した撮影が可能になる。
なお、一脚は伸縮可能で脚部を縮め折り畳むことが出来るので、一脚はコンパクトな形態になり、携帯に大変便利である。
また紐状体を携帯電話機に取り付けることで携帯ストラップとしても使用できる。
【発明を実施するための最良の形態】
【０００６】以下、本発明の実施の形態を説明する。
（イ）伸縮可能な脚部（１）の一端に、ヒンジ部（２）を介して携帯電話の充電ジャックに差し込むことができるように形成された接続端子部（３）を装着する。
本発明は、以上の構成よりなる。これを使用するときは、撮影時に、接続端子部（３）を携帯電話機（５）の充電ジャックに差し込み、伸縮可能な脚部を伸ばし、接続端子部（１）の反対側を上半身の適当な位置に押し当てる。ヒンジ部（２）を適切な角度に調整し、被写体に向け固定する。これでカメラを簡易的に固定し、ブレを防止した撮影が可能になる。
また、図３に示すように、脚部（１）に紐状体（４）を取り付けることにより、携帯ストラップとしてもしようできる。
【図面の簡単な説明】
【０００７】
【図１】本発明によるカメラ付携帯電話機の手ブレ防止具の脚部を伸ばした状態で示す斜視図。
【図２】カメラ付携帯電話機を接続して支持している本発明による斜視図。
【図３】カメラ付携帯電話機の手ブレ防止具の脚部を縮め、ストラップで携帯電話に取り付けた場合の正面図。
【符号の説明】
【０００８】１  脚部
２  ヒンジ部
３  接続端子部
４  紐状体
５  携帯電話機
【図１】
2006301547.tif 000003
【図２】
2006301547.tif 000004
【図３】
2006301547.tif 000005
(57)【要約】【課題】ラジオ体操を行なうのに時間的に制約があり、また、ＣＤ，カセットテ−プ，ビデオにおいても、再生機器を使用する不便があった。【解決手段】ラジオ体操録音内蔵の再生専用携帯機を作成する。【選択図】  図１
2006301548.tif 000002
【特許請求の範囲】
【請求項１】
ラジオ体操録音内蔵再生専用携帯機
（Ｒｅｐｅａｔ・Ｈｅａｒ・Ｍａｃｈｉｎｅ）
【請求項２】
前記、ラジオ体操録音内蔵再生専用携帯機を使用することで、何時何処ででも、気楽に体操をすることができる軽量携帯機
【発明の詳細な説明】
【技術分野】
【０００１】この発明は、ラジオ体操録音内蔵再生に関する。
【背景技術】
【０００２】従来のラジオ体操録音・録画商品（ＣＤ，カセット，ビデオテ−プ）は（ＣＤプレ−ヤ−，パソコンドライブ，カセットデッキ，ビデオデッキ）を使用して再生している。【０００３】現在のラジオ体操、テレビ体操は一定の時間に放送、放映されている。【０００４】従来のラジオ体操録音・録画商品は下記１〜５である。（非特許文献１参照。）
１、ＣＤ          みんなの体操    ・・・・発売元  ＮＨＫサ−ビスセンタ−
２、ＣＤ          「ラジオ体操」  ・・・・発売元  ＮＨＫサ−ビスセンタ−
３、ＣＤ          健康ライフ      ・・・・発売元  ＮＨＫサ−ビスセンタ−
４、カセット      みんなの体操    ・・・・発売元  ＮＨＫサ−ビスセンタ−
５、ビデオテ−プ  「ＮＨＫテレビ体操」  ・発売元  ＮＨＫサ−ビスセンタ−
【非特許文献１】「ＮＨＫサ−ビスセンタ−  オンラインショップ」１頁。「全国ラジオ体操連盟」１頁〜２頁、ラジオ体操・みんなの体操普及のためのＣＤ・ビデオ紹介。
【発明が解決しようとする課題】
【０００５】以上の技術によれば、ラジオ体操録音・録画商品は再生機器を使用したり、時間的制約を受けて不便である。
そこで、この発明は、再生機器を使用しないで自由な時間に利用できる、再生専用携帯機を提供することを課題とする。
【課題を解決しようとする手段】
【０００６】以上の課題を解決するために、第一発明は、ラジオ体操録音内蔵を特徴とする再生専用携帯機である。
また、第二発明は、自由な時間にラジオ体操が聞こえる再生専用携帯機である。
【発明の効果】
【０００７】第一発明、または第二発明によれば、ラジオ体操を聞くに別の再生機器を使用しなくてよく、自分の都合に合わせてラジオ体操を行なうことができる。
また、軽量携帯機なので屋内外どこでもラジオ体操を行なうことができる。
【発明を実施するための最良の形態】
【０００８】この発明の一実施形態を、図１・図２・図３に示す。
録音内蔵再生専用携帯機の本体はプラスチック製であり、本体とカバ−に分かれる。
本体表面には、スイッチ・ボリュ−ムと音声が聞こえるように、小さな丸い穴が開いている、また、本体裏面には、ＩＣチップ、スピ−カ−、電池が配置されている。
本体の上にハンドストラップ用の突起がある。カバ−と本体が合体するように縁の周りに凹凸と溝がある。本体とカバ−は美しいカラ−で、形は丸みをおびている。
【実施形態の効果】
【０００９】この実施形態によれば、録音装置がないため軽量で携帯に便利、ウオ−キング・散歩途中に公園などでラジオ体操を楽しみ健康増進に役立つ。
【他の実施形態】
【００１０】発明の名称はラジオ体操録音内蔵再生専用機で、技術分野はラジオ体操録音内蔵再生に関しているが、下記１〜８に示したように、他の商品にラジオ体操録音内蔵再生機能を組み込んでも良い。
１・  ラジオ体操録音内蔵再生機能  ＋  録音再生携帯機
２・  ラジオ体操録音内蔵再生機能  ＋  録画再生携帯機
３・  ラジオ体操録音内蔵再生機能  ＋  録音・録画再生携帯機
４・  ラジオ体操録音内蔵再生機能  ＋  録画内蔵再生携帯機
５・  ラジオ体操録音内蔵再生機能  ＋  録音・録画内蔵再生携帯機
６・  ラジオ体操録音内蔵再生機能  ＋  携帯電話
７・  ラジオ体操録音内蔵再生機能  ＋  テレビ（携帯テレビ）
８・  ラジオ体操録音内蔵再生機能  ＋  ラジオ（携帯ラジオ）
【００１１】発明の名称と技術分野での録音はラジオ体操であるが、ラジオ体操に限らず、他のあらゆる分野に応用は可能である。また、図１・図２に示した他に、複数のスイッチを設けて、複数の録音内蔵再生も可能である。本体表面に一部金属を使用してもよい。
【利用の可能性】
【００１２】全国的に、ウオ−キングによる健康増進が盛んになてきており、特にご年配の方は利用の可能性は大きい。
【００１３】技術分野の応用−ラジオ体操を（例）教育面では数学・英語・歴史の基礎的事項の暗記を要する事などの利用の可能性は大きい。
【図面の簡単な説明】
【００１４】
【図１】この発明の一実施形態を示す斜視図である。（本体表面）
【図２】この発明の一実施形態を示す斜視図である。（本体裏面）
【図３】この発明の一実施形態を示す斜視図である。（カバ−表面）
【符号の説明】
１  スイッチ・ボリュウム（カバ−表面または側面）  ２  音声が聞こえる穴
３  ボタン電池  ４  ＩＣチップ  ５  スピ−カ−    ６  ハンドストラップ用突起
【図１】
2006301548.tif 000003
【図２】
2006301548.tif 000004
【図３】
2006301548.tif 000005
(57)【要約】【目的】  生活環境を考慮し、他人に迷惑を掛ける事なく、快適な生活空間を得る。【構成】  濡れた雨傘を通過させることで、簡単に水滴を除去し、瞬時に乾燥させることが出来るよう、水滴の払い落とし振動板、及び、熱風吹き出し口などを有し箱型状に、又は、円筒状に、構成されている。【選択図】      図１
2006023061.tif 000002
【特許請求の範囲】
【請求項１】
雨傘を手に持ったまま瞬時に乾燥させる必要から、雨傘の出入口を設け、その間に極めて狭い通路を設けた装置、及び、構造物。
【請求項２】
請求項１の構造物に於いて、狭い通路内部には、雨傘に付着した水滴を振るい落とす装置、及び、その後、雨傘を乾燥させる装置等を設けた装置、及び、構造物。
【請求項３】
請求項２に於ける水滴を振るい落とす方法は、機械的振動式、又は、送風式、又はそれらの両方の機能を有する装置、及び、構造物。
【請求項４】
以上の構造物に於いて、一連の動作のスタートスイッチは、雨傘を同構造物の雨傘の入口に入れた瞬間、自動的にスイッチが入り、一連の動作を終了して、雨傘が雨傘出口を出た瞬間に自動的にスイッチが切れる様にした装置、及び、構造物。
【請求項５】
以上の構造物は、もっぱら人間がたった状態で使用できる様その大きさを工夫した装置、及び、構造物。
【請求項６】
使用者が立ったまま、又は座ったままの状態で、利用できる無移動型の装置、及び、構造物
【発明の詳細な説明】
【発明の詳細な説明】
【産業上の利用分野】
【０００１】  本発明は、生活に直結した環境問題と衛生面を重視する事で、より良い生活を送る方法等に関するものである
【背景技術】
【０００２】従来、雨でビッショリ濡れた雨傘を公共の場で携行する場合、最大のエチケットとしては、その雨傘を専用のビニール袋等に入れて携行する事であった。専用のビニール袋に濡れた雨傘を入れる方法としてはその殆どが両手を使った手動式である。そのため、両手がぬれるという衛生面上極めて悪影響を伴うという欠点があった。しかも、専用ビニールが極めて薄い事から、時には破損し、その効果を台無しにし、衛生的環境を破壊するものであった。又、さらに悪い事には再度、雨傘を使用する時に専用ビニール袋を取り除くため、あちこちに散乱放置するという事が度々発生し、折角のエチケットが台無しになると言う事が常であった。これらが環境衛生上極めて問題となっていたことは衆知の事である。
【発明が解決しようとする課題】
【０００３】従来、使用され続けてきた濡れた雨傘を専用ビニール袋に入れて携行すると言う事から発生する不衛生面や効率の悪さを改善するための装置を提供する事を目的とする。
【課題を解決するための手段】
【０００４】  上記目的を達成するために、この装置の主構造は雨傘を通過させる事が出来る溝状の隙間を有した細長い箱型の立方体の構造物で出来ている。この装置の溝状の隙間の中に雨傘の水滴を除去する装置、水滴を除去した後の雨傘を乾燥させる乾燥機等が設けられている。
【０００５】  雨で濡れた雨傘を携行し、公共施設などに入る場合、その施設の出入り口付近に設置された本装置の雨傘の入口（以下雨傘差し込み口と称する）に雨傘を差し込んで雨傘の水滴を取り除き、かつ、雨傘を乾燥させるのであるが、本装置を利用する人々は当該雨傘の柄の部分を持ったままで本装置を利用出来るようになっている。即ち、雨傘の差し込み口部分から雨傘出口（以下雨傘の取り出し口と称する）迄の間は凹状のスリットになっており振動板の作動範囲に余裕を持たせる事で大小の雨傘に対応出来るようになっている。
【０００６】  本装置のスリット部に外部からは見えないが雨傘に付着した水滴を取り除き、後に乾燥させる諸々の装置が仕組まれており、本装置の利用名は、歩きながら雨傘の柄を片手で持ち、当該雨傘の柄を除いた部分を雨傘の差し込み口からスリット部を通過させ雨傘の取り出し口から雨傘を取り出せば良い。一連の作業上“差し込む”だとか“取り出す”だとかと表現しているが、要するにスリット部を通過させると言う簡単な動作で雨傘を乾燥できるのである。
【作用】
【０００７】  以上のように簡単な一連の作業でびっしょり濡れた雨傘を瞬時に乾燥せしめ、かく、衛生面と生活環境を良好に保つ事が出来、無駄を防止出来る事から経済効果にも大いに役立つ事ができる。無移動型の装置を利用すれば、じっと立ったままで乾燥するので待てば良い。
【実施例】
【０００８】  図１にしたがって一実施例を模索し、説明する。
１は、本装置の装置本体である。２は、雨傘差し込み口である。３は、ガイドローラーであり、雨傘を上手く取り込む仕組みとなっている。４は、雨傘に付着した水滴を払い落とす振動体である。この振動体は雨傘の水滴を払い落としながら雨傘を雨傘の取り出し口８の方向へ誘導する振動体の凹部５を有している。６は、熱風の吹き出し口であり、水滴を取り除かれた雨傘を完全なまでに乾燥する構造となっている。７は空気の取り入れ口であり、ヒーター部分を通過し熱風となる。９は、水滴のドレインホースである。
【発明の効果】
【００１０】  本発明は、次のような効果を奏する。
（１）本装置は、取扱が簡単なため、誰でも容易に濡れた雨傘を乾燥する事が出来る。
（２）本装置を利用する事でごみ等を散らかす事がなく生活の環境をより良く保つために大いに役立つ。
（３）本装置を使用する事から他人へ迷惑を掛ける事を減じる事ができ、無用なトラブルを避ける事ができる。
（４）濡れた雨傘は専用のビニール袋へは、なかなか入りにくく、手間取る事が多いが、それらのすべての問題点を、本装置が解決し、かつ、時間的無駄を取り除く事が出来る。
（５）特に混雑した電車などでの、狭い空間では、濡れた雨傘を携行する事は精神的苦痛を伴うものである。本装置を駅周辺や改札口に備える事でこれらの苦痛を一瞬に解決できる。
【図面の簡単な説明】
【図１】  本装置で、移動型の装置、及び、構造物の立体斜視図である。
【図２】  本装置で、無移動型の装置、及び、構造物の立体模式図である。
【符号の説明】
１．                    装置本体
２．                    雨傘差し込み口
３．                    ガイドローラー
４．                    振動体
５．                    振動体の凹部
６．                    熱風吹き出し口
７．                    空気取り入れ口
８．                    雨傘取り出し口
９．                    ドレインホース
【図１】
2006023061.tif 000003
【図２】
2006023061.tif 000004
(57)【要約】【課題】  戸建住宅に適した、誰もが簡単安価に利用できる地熱太陽熱利用空調システムを提供する。【解決手段】  地中に埋設した通気管１に外気を導入し、夏は地熱との熱交換により涼しくなった空気を通気管１の屋内側吹出し口７より屋内へ導入する。又、冬は地中に埋設された通気管１に導入された空気を地熱で熱交換し、温まった空気を更に屋根上に設けられた太陽熱収熱箱３内で暖め、屋内へ放出することにより、夏期、冬期にかかわらず無料エネルギーを使用して一年を通じて屋内を快適な空間とする【選択図】  図１
2006023043.tif 000002
【特許請求の範囲】
【請求項１】
外気を地中に埋設した通気管を通し、地中熱と熱交換させ、ファンにて屋内に吹き出すようにした地熱利用空調設備であって、冬場不足の熱量は、地熱と熱交換した空気を屋根上に設けた太陽熱利用空調設備にファンにて送りこみ、ここで太陽熱にてさらに暖め、その空気をファンにて屋内に吹き出すようにした地熱太陽熱利用空調システム。
【発明の詳細な説明】
【技術分野】
【０００１】
本発明は、非常に安価に実現できる地熱太陽熱利用空調システムに関するものである。
【背景技術】
【０００２】
外気に左右されず年間を通して安定した温度に保たれている地中に通気管を埋設し、この通気管に外気を通して地熱と熱交換させ、熱交換後の外気を屋内に送り込み、屋内空間を夏は涼しく、冬は暖かくすることができるようにした地熱利用空調システムが提供されている。また、上述したシステムにヒートポンプを組み込んだシステムも提案されている。
【０００３】
しかしながら地熱のみ利用の空調システムで効果ある空調を実現するためには地中深くおよび長く通気管を設けることが必要である。そのうえ、通気管を通る空気の速度もかなり小さいものにしなければならず、コストも高くついてしまう。また、冬場、地熱のみで屋内空間を快適にするには熱量
不足である。
【０００４】
ヒートポンプを併用したシステムの場合は、埋設通気管は短くとも可能であるが、ヒートポンプ稼動による電力料金が必要となる。また、ヒートポンプ設備も必要となりコストも高くつく。
【特許文献１】特開２００３−３５４３３号公報
【発明の開示】
【発明が解決しようとする課題】
【０００５】
従来のこうした地熱を利用した空調システムは冬場の熱量が不足しており、その不足熱量を補うためにヒートポンプを併用する方法も考案されているがコスト高になっていた。
【課題を解決するための手段】
【０００６】
本発明は、地熱のみでは不十分な熱量を太陽熱で補うものであり、特殊な装置を用いることなく非常に安価に実現できる地熱太陽熱利用空調システムを提供するものである。
【発明の効果】
【０００７】
本発明は、地熱と太陽熱の熱量のみを利用し屋内空間を快適にする空調システムである。
【発明を実施するための最良の形態】
【０００８】
本発明を簡単に説明する。
【実施例１】
【０００９】
本発明の１つの実施形態を図面に基づいて説明する。図１に示す地熱太陽熱利用空調システムは、通気管１と４、ファン２と５、太陽熱集熱箱３、仕切り弁６と通気管の蓋７と８からなる。通気管１は地中に縦横に延びるように埋設され、一端１１は外部に他端１２は屋根上に設けられた太陽熱集熱箱３に接続されている。通気管１には、さらにその途中に仕切りバルブ６を設けており、その直前から枝分かれして屋内に給気口１３を設けてある。通気管４は一端４１を太陽熱集熱箱に接続されもう一端４２は屋内に口を開けている。
【００１０】
図１は、本システムの冬期の使用方法である。冬期には、仕切り弁６を開けて、蓋７を閉め、蓋８を開ける。そうすることにより、通気管の通気管１の中央部に設けられたファン２により通気管１の外気取入口１１より取入れられた外気は、通気管１の地中埋設部分内にて地熱と熱交換されて暖められ、さらに建物を上って３内に放出される。３内で太陽熱にてさらに暖められた外気はファン５の力により通気管４の一端４１から導入されて給気口４２から屋内に放出される。これにより屋内を暖める。
【００１１】
図２は本システムの夏期の使用方法である。夏期には、仕切り弁６を閉め、蓋７を開け、蓋８を閉める。そうすることにより、通気管の通気管１の中央部に設けられたファン２により通気管１の外気取入口１１より取入れられた外気は、通気管１の地中埋設部分内にて地熱と熱交換されて冷やされ、給気口１３より屋内に放出される。
【００１２】
なお、通気管１の外気取入れ口で１１および通気管４の暖気取入れ口４１には、防塵防虫のためのフィルターを取り付けることとする。
【００１３】
太陽熱集熱箱３について説明する。集熱箱架台は任意資材で梯子状に組み、これを屋根上に取付け、その上に集熱材としてアルミパネルを取り付ける。この集熱箱に通気管１および４が接続される。
【００１４】
太陽熱集熱箱３としては、架台内部を黒色鋼板で仕上げ、アルミパネルに換えてガラスまたはポリカーボネイト板を取り付けた形態も考えられる。
【００１５】
さらに、太陽熱集熱箱を特に設けなくとも、屋根面自体を集熱材とし、屋根下で空気を暖め、屋根および屋根下空間を集熱箱としてもよい。
【図面の簡単な説明】
【００１６】
【図１】本発明の夏期における使用方法の説明図である。
【図２】本発明の冬期における使用方法の説明図である。
【符号の説明】
【００１７】
１  通気管
２  ファン
３  太陽熱集熱箱
４  通気管
５  ファン
６  仕切り弁
７  蓋
８  蓋
【図１】
2006023043.tif 000003
【図２】
2006023043.tif 000004
(57)【要約】【課題】  より自由度の高い装飾を施した眼鏡及びその製造方法を提供すること。【解決手段】  眼鏡において、そのレンズに、少なくとも１つの開口部を設け、開口部に着脱可能なリング状の装飾部材を挿貫させた。【選択図】  図１
2006023478.tif 000002
【特許請求の範囲】
【請求項１】
眼鏡において、
そのレンズに、少なくとも１つの開口部を設け、
前記開口部に着脱可能なリング状の装飾部材を挿貫させたことを特徴とする眼鏡。
【請求項２】
眼鏡において、
そのレンズに、少なくとも１つの開口部を設け、
前記開口部に着脱可能なピアスを係止させたことを特徴とする眼鏡。
【請求項３】
眼鏡の製造方法であって、
レンズに、少なくとも１つの開口部を設ける工程と、
前記開口部にリング状の装飾部材を挿貫させる工程と、
を含むことを特徴とする眼鏡の製造方法。
【請求項４】
眼鏡の製造方法であって、
レンズに、少なくとも１つの開口部を設ける工程と、
前記開口部に着脱可能なピアスを係止させる工程と、
を含むことを特徴とする眼鏡の製造方法。
【発明の詳細な説明】
【技術分野】
【０００１】
本発明は眼鏡及びその製造方法に関する。
【背景技術】
【０００２】
従来から、装飾を施した眼鏡が知られている（特許文献１参照）。
【特許文献１】特開２００４−４７２７号公報
【発明の開示】
【発明が解決しようとする課題】
【０００３】
しかしながら、従来の眼鏡では、その装飾が眼鏡に固定されており、自由度が少なかった。
【０００４】
本発明は、上記従来技術の問題に鑑みてなされたものであり、その目的とするところは、より自由度の高い装飾を施した眼鏡及びその製造方法を提供することにある。
【課題を解決するための手段】
【０００５】
本発明に係る眼鏡は、そのレンズに、少なくとも１つの開口部を設け、前記開口部に着脱可能なリング状の装飾部材を挿貫させたことを特徴とする。
【０００６】
本発明に係る他の眼鏡は、そのレンズに、少なくとも１つの開口部を設け、前記開口部に着脱可能なピアスを係止させたことを特徴とする。
【０００７】
本発明に係る眼鏡の製造方法は、レンズに、少なくとも１つの開口部を設ける工程と、前記開口部にリング状の装飾部材を挿貫させる工程と、を含むことを特徴とする。
【０００８】
本発明に係る他の眼鏡の製造方法は、レンズに、少なくとも１つの開口部を設ける工程と、前記開口部にリング状の装飾部材を挿貫させる工程と、を含むことを特徴とする。
【発明の効果】
【０００９】
本発明によれば、より自由度の高い装飾を施した眼鏡及びその製造方法を提供することができる。
【発明を実施するための最良の形態】
【００１０】
以下に、図面を参照して、この発明の好適な実施の形態を例示的に詳しく説明する。ただし、この実施の形態に記載されている眼鏡の構成はあくまで例示であり、この発明の範囲をそれらのみに限定する趣旨のものではない。
【００１１】
（第１実施形態）
図１は、本発明の第１実施形態としての眼鏡の部分的な外観を示す斜視図である。
【００１２】
１０１はレンズであり、１０２はフレームであり、１０３はテンプルである。レンズ１０１の端縁部には、開口部として、直径２ｍｍ程度の丸穴１０１ａが開けられており、その丸穴１０１ａに金属製のリング１０４が挿貫されている。リング１０４としては、一般的に耳に穴を開けて付ける耳飾りとして販売されているピアスを利用することができる。リング１０４はその一部において切断されており、その切断箇所を大きく広げることによって、レンズから取り外すことが可能である。そして、異なるサイズや材質のリングに付け替えることが可能である。
【００１３】
（第２実施形態）
図２は、本発明の第２実施形態の眼鏡の部分的な外観を示す斜視図である。
【００１４】
２０１はレンズであり、２０３はテンプルである。レンズ２０１の端縁部には、開口部として、長三角形状のスリット２０１ａが開けられており、そのスリット２０１ａに金属製のリング２０４が挿貫されている。
【００１５】
スリット２０１ａは、リング２０４の径に比べて大きいため、スリット２０１ａの中をリング２０４が動き、よりファッション性が高まる。
【００１６】
以上の実施形態において、リングとしては、一般的に耳に穴を開けて付ける耳飾りとして販売されているピアスを利用することができる。また、リングはその一部において切断されており、その切断箇所を大きく広げることによって、レンズから取り外すことが可能である。そして、異なるサイズや材質のリングに付け替えることが可能である。
【００１７】
なお、上記実施形態では、リムレス眼鏡を例に挙げて説明したが、本発明はこれに限定されるものではなく、フレームを有した眼鏡にも同様に適用可能である。また、ここではレンズにとりつける装飾部材としてリングを示したが、これに限定されるものではなく、例えば、つり下げるタイプの鎖や、単に、表側から突き刺して裏側でキャッチによって固定するタイプのピアスを利用することもできる。
【００１８】
また、開口部が、レンズの外側の端部に設けられた例について説明したが本発明はこれに限定されるものではなく、レンズの内側（鼻側）の端部に設けてもよい。
【図面の簡単な説明】
【００１９】
【図１】本発明の実施形態としての眼鏡の構成について説明するための図である。
【図２】本発明の実施形態としての眼鏡の構成について説明するための図である。
【図１】
2006023478.tif 000003
【図２】
2006023478.tif 000004
(57)【要約】【課題】照射試料室内の過酷な環境条件や試料から発生する劣化物・分解物に起因して紫外線照度を正確に制御できなくなるのを防止する。【解決手段】紫外線透過板（２）よりも光源（１）側に紫外線検出器（５）の光取入部（５ａ）を設置し、紫外線検出器（５）により検出した紫外線強度に基づいて紫外線照度を制御する。【効果】照射試料室（３）内でスプレー（４）から水などを噴射しても受光部（５ａ）が汚れることはない。試料（Ｐ）から劣化物・分解物が発生しても受光部（５ａ）に付着することはない。従って、紫外線強度を正しく検出でき、紫外線照度を正確に制御できる。【選択図】図１
2006023169.tif 000002
【特許請求の範囲】
【請求項１】
光源と照射試料室とを光を透過させる透過板で遮断隔離し、照射試料室内の環境条件を任意に設定し耐候性試験を行う装置において、
紫外線検出器の検出部を透過板よりも光源側に設置し、前記紫外線検出器で検出した紫外線強度に基づいて照度制御手段により紫外線照度を制御することを特徴とする耐候性試験装置。
【発明の詳細な説明】
【技術分野】
【０００１】
本発明は、耐候性試験装置に関し、さらに詳しくは、照射試料室内の過酷な環境条件や試料から発生する劣化物・分解物に起因して紫外線照度を正確に制御できなくなるのを防止することが出来る耐候性試験装置に関する。
【背景技術】
【０００２】
従来、紫外線を発生する光源と、光源側と透過板により遮断された雰囲気下で透過板を通して紫外線を試料に照射するための照射試料室と、照射試料室内に光取入部を設置され紫外線の強度を検出する紫外線検出器と、紫外線検出器により検出した紫外線強度に基づいて紫外線照度を制御する照度制御手段とを具備した耐候性試験装置が知られている（例えば、特許文献１参照。）。
また、照射試料室で水を試料に噴射するスプレーを具備した耐候性試験装置が知られている（例えば、特許文献２参照。）。
さらに、照射試料室で塩水，イオン水，酸性水を試料に噴射したり、塩水，イオン水，酸性水に試料を浸漬したりすると共に、試料に結露させたり、温度湿度サイクル下に試料を置く耐候性試験装置が知られている（例えば、特許文献３参照。）。
【特許文献１】特開平９−１５２３９８号公報
【特許文献２】特開平１１−６４２０９号公報
【特許文献３】特開平３−１７５３３号公報
【発明の開示】
【発明が解決しようとする課題】
【０００３】
上記従来技術では、照射試料室内に紫外線検出器の光取入部が設置されていたが、照射試料室内は過酷な環境条件になるため、光取入部が汚れたり、紫外線検出器が劣化したりし、紫外線強度を正しく検出できなくなり、その結果、紫外線照度を正確に制御できなくなる問題点がある。
また、試料から劣化物・分解物が発生することがあるため、光取入部が劣化物・分解物で汚れて紫外線強度を正しく検出できなくなり、その結果、紫外線照度を正確に制御できなくなる問題点がある。
そこで、本発明の目的は、照射試料室内の過酷な環境条件や試料から発生する劣化物・分解物に起因して紫外線照度を正確に制御できなくなるのを防止することが出来る耐候性試験装置を提供することにある。
【課題を解決するための手段】
【０００４】
第１の観点では、本発明は、光源と照射試料室とを光を透過させる透過板で遮断隔離し、照射試料室内の環境条件を任意に設定し耐候性試験を行う装置において、紫外線検出器の光取入部を透過板よりも光源側に設置し、前記紫外線検出器で検出した紫外線強度に基づいて照度制御手段により紫外線照度を制御することを特徴とする耐候性試験装置を提供する。
上記第１の観点による耐候性試験装置では、透過板よりも光源側に紫外線検出器の光取入部を設置したため、照射試料室内の過酷な環境条件や試料から発生する劣化物・分解物に起因して光取入部が汚れたり、紫外線検出器が劣化したりすることが防止される。この結果、紫外線強度を正しく検出でき、紫外線照度を正確に制御できる。
【発明の効果】
【０００５】
本発明の耐候性試験装置によれば、照射試料室内の過酷な環境条件や試料から発生する劣化物・分解物に起因して紫外線照度を正確に制御できなくなるのを防止することが出来る。
【発明を実施するための最良の形態】
【０００６】
以下、図に示す実施例により本発明をさらに詳細に説明する。なお、これにより本発明が限定されるものではない。
【実施例１】
【０００７】
図１は、実施例１に係る耐候性試験装置１００の構成説明図である。
この耐候性試験装置１００は、紫外線を発生する光源１と、反射板１ａと、紫外線透過板２により光源１側と遮断隔離された雰囲気下で紫外線透過板２を通して紫外線を試料Ｐに照射するための照射試料室３と、試料台３ａと、照射試料室３で試料Ｐに水，塩水，イオン水，酸性水などを噴射するスプレー４と、紫外線透過板２よりも光源１側に光取入部５ａが設置され紫外線の強度を検出する紫外線検出器５と、紫外線検出器５により検出した紫外線強度に対応した検出値を出力する検出値出力部６と、操作者が設定した指示値を出力する指示値出力部７と、検出値が指示値に一致するように光源１を制御する光源制御部８と、照射試料室３の温度を制御するためのヒータ１０及びクーラ１１とを具備している。
【０００８】
光源１は、発光波長２９５〜７８０［ｎｍ］，定格４.５［ｋＷ］のメタルハライドランプである。
紫外線検出器５は、耐熱性が高い紫外線センサ（例えば住田光学ガラス株式会社製ＵＶ−２００）である。
【０００９】
紫外線照度の調整は次の手順で行う。
（１）適当な値の指示値を設定する。
（２）光源１を点灯する。
（３）ハンディ型紫外線照度計（例えばウシオ電機株式会社製ＵＩＴ−１０１）を用いて試料台３ａの表面における紫外線照度を測定しながら、所望の紫外線照度（例えばＢ値 ６５［ｍＷ／ｃｍ２］）になるように、指示値を増減する。
【００１０】
紫外線照度を調整した後、照射試料室３からハンディ型紫外線照度計を出し、照射試料室３に試料Ｐを入れ、照射試料室３の温度をヒータ１０及びクーラ１１で制御し、スプレー４で試料Ｐに水などを噴射し、試料Ｐの変化を観察する。
【００１１】
実施例１の耐候性試験装置１００によれば、紫外線透過板２よりも光源１側に紫外線検出器５の光取入部５ａを設置したため、照射試料室３内でスプレー４から水などを噴射しても光取入部５ａが汚れることはない。また、試料Ｐから劣化物・分解物が発生しても光取入部５ａに付着することはない。従って、紫外線強度を正しく検出でき、紫外線照度を正確に制御できる。
【産業上の利用可能性】
【００１２】
本発明の耐候性試験装置は、塗料の劣化特性などの耐候性試験を行うのに利用できる。
【図面の簡単な説明】
【００１３】
【図１】実施例１に係る耐候性試験装置を示す構成説明図である。
【符号の説明】
【００１４】
１                光源
２                紫外線透過板
３                照射試料室
４                スプレー
５                紫外線検出器
５ａ              光取入部
６                検出値出力部
７                指示値出力部
８                光源制御部
１００            耐候性試験装置
【図１】
2006023169.tif 000003
(57)【要約】【課題】カメラは中心投影である為に、物体を投影した場合、距離やレンズの歪み等により、画像が歪んでしまう。立体的な物体の画像、映像を、単写真で正射投影画像へする従来の方法としては、個々のレンズ自体の歪みを計算し、補正して正射投影画像へする方法がある。しかしながら、対象物が立体的なので、以上の方法によると精度が出にくかった。  そこで、この発明は立体的な物体の画像、映像を、正射投影画像へする、より精度の高い技術を提供することを課題とする。【解決手段】まず、平面上に、レーザーをカメラ軸と平行に投影し、その位置関係を計測する。  次に被写体を置き、レーザーをカメラ軸と平行に物体へ投影し、同じ方向から平行にカメラ撮影し、その画像、映像に写るレーザーの点、線の位置関係を計測する。  基準点及び基準線は、平行なレーザー光線により計測する為、どの様に物体が変形していても、正確なメッシュ状に物体に投影することができる。  これにより前者の基準点及び基準線へ、後者の基準点及び基準線を合わせる事により物体を正確な正射投影画像にすることができる。【選択図】図２
2006023262.tif 000002
【特許請求の範囲】
【請求項１】
平面上に、レーザーをカメラ軸と平行に投影し、その位置関係を計測することを特徴とする基準点及び基準線。
【請求項２】
被写体を置き、レーザーをカメラ軸と平行に被写体へ投影し、同じ方向から平行にカメラ撮影することにより、その画像、映像にレーザーの点、線が写る。この点、線の位置関係を計測することを特徴とする基準点及び基準線。
【請求項３】
前記の請求項１の基準点及び基準線に、前記の請求項２の画像、映像の基準点及び基準線を合わせることを特徴とした画像処理方法。
【発明の詳細な説明】
【技術分野】
【０００１】  この発明は、カメラ撮影における立体的な物体の画像、映像を、正射投影画像へする為の基準点及び基準線設置装置と画像処理方法に関する。
【背景技術】
【０００２】  カメラは中心投影である為に、物体を投影した場合、距離やレンズの歪み等により、画像が歪んでしまう。立体的な物体の画像、映像を、単写真で正射投影画像へする従来の方法としては、個々のレンズ自体の歪みを計算し、補正して正射投影画像へする方法がある。
【発明の開示】
【発明が解決しようとする課題】
【０００３】  しかしながら、対象物が立体的なので、以上の方法によると精度が出にくかった。
そこで、この発明は立体的な物体の画像、映像を、正射投影画像へする、より精度の高い技術を提供することを課題とする。
【課題を解決するための手段】
【０００４】  以上の課題を解決するために、第一発明は、平面上に、レーザーをカメラ軸と平行に投影し、その位置関係を計測することを特徴とする基準点及び基準線である。
また、第二発明は、被写体を置き、レーザーをカメラ軸と平行に物体へ投影し、同じ方向から平行にカメラ撮影することにより、その画像、映像にレーザーの点、線が写る。この点、線の位置関係を計測することを特徴とする基準点及び基準線である。
また、第三発明は、前記の第一発明の基準点及び基準線に、前記の第二発明の画像、映像の基準点及び基準線を合わせることを特徴とした画像処理方法である。
【発明の効果】
【０００５】  第一発明、第二発明の基準点及び基準線は、平行なレーザー光線により計測する為、どの様に物体が変形していても、正確なメッシュ状に物体に投影することができる。あらかじめ第一発明で、平面上にレーザーをカメラ軸と平行に投影しその位置関係を計測することにより、第二発明でどのような形状の物体を撮影しても、第三発明で物体を正確な正射投影画像にすることができる。
【発明を実施するための最良の形態】
【０００６】  第一発明の一実施形態を、図１に示す。
第二発明の一実施形態を、図２に示す。
第三発明の一実施形態を、図３、図４に示す。
１は、カメラ軸と平行に投射しているレーザー光線である。２は、レーザー投射機である。３は、レーザー投映による基準点及び基準線である。４は、レンズである。５は、カメラである。６は、被写体となる物体である。７は、被写体がレンズを通してカメラに写った像である。
まず第一発明では、２のレーザー投射機からカメラ軸と平行に投射された１のレーザー光線が、平面上に投影されるので、この投影された点及び線を基準点とし、位置関係を計測する。これが図１である。
次に第二発明では、６の被写体となる物体を置き、これに対し、２のレーザー投射機からカメラ軸と平行に１のレーザー光線を投射し、６の物体に投影する。これを４のレンズを通し、５のカメラで撮影する。これにより撮影された画像、映像にレーザーの点及び線が写るので、この点及び線を基準点とし、位置関係を計測する。これが図２である。
そして第三発明では、第二発明で計測したレンズの歪みを反映した基準点（図３）を、第一発明で計測したレンズの歪みのない基準点（図４）に合わせることにより、被写体の物体の正確な正射投影画像ができる。
【図面の簡単な説明】
【０００７】
【図１】第一発明の一実施形態を示す、側面からの図である。
【図２】第二発明の一実施形態を示す、側面からの図である。
【図３】第二発明により計測した、基準点及び基準線の図である。
【図４】第一発明により計測した、基準点及び基準線の図である。
【符号の説明】
【０００８】１、カメラ軸と平行に投射しているレーザー光線
２、レーザー投射機
３、レーザー投影による基準点及び基準線
４、レンズ
５、カメラ
６、被写体となる物体
７、被写体がレンズを通してカメラに写った像
【図１】
2006023262.tif 000003
【図２】
2006023262.tif 000004
【図３】
2006023262.tif 000005
【図４】
2006023262.tif 000006